(57)【要約】      （修正有）【課題】    コーン型スピーカーユニットのコーンを振動させる電気信号に、コーンの振動を相対的に同調させ、コーン後方の音の疎密波を、進行方向の疎密波に整える。【解決手段】  コーン型スピーカーユニットのコーンを振動させる電気信号に、コーンの振動を相対的に同調させるために、コーン後方の空気の容積を、音の伝達に必要最小限にした、漏斗形のバッフルに、共振用のポートを、直接接続するエンクロージャーを、分圧室を有する整流装置の流入口に取り付け、流出口に開放用のポートを取り付け、コーン後方の音の疎密波を、共振させ位相を反転し、共振することによりあらゆる方向に影響を受けた空気の疎密波を、進行方向の疎密波に整えて、コーン前面の音と合わせて低音拡大する。【選択図】  図１
2005341517.tif 000002
【特許請求の範囲】
【請求項１】
前端開口部にコーン型スピーカーユニットを取り付けた、後端開口部が共振用のポートと同じ断面の漏斗形のバッフルと、
前記漏斗形のバッフルの後端開口部に下方に一方の開口部を接続する、共振用のポートとからなるエンクロージャーと、
前記漏斗形のバッフルの下方に位置する、前記共振用のポートの断面積より大きく、整流の作用に有効な断面及び高さの、上下に等分した高さの中間部に流入口を、上端部に流出口を共に具備し、前記流入口から下方を底面が開閉可能な分圧室に、上方を整流部に区分し、前記中間部流入口に上方に前記エンクロージャーの前記共振用のポートの他方の開口部を、前記上端部流出口に前記漏斗形のバッフルの下方で前方へ開放するポートの開口部を、共に接続する、分圧室を備えた整流装置とからなる、スピーカー。
【請求項２】
請求項１に記載の前端開口部にコーン型スピーカーユニットの取り付け部を具備し、前記コーン型スピーカーユニットのバッフル取り付け穴径と同じ内径の、円筒形のバッフルの後端開口部を、前記取り付け部に取り付けた前記コーン型スピーカーユニットのマグネット部後方の、空気の振動が支障なく伝達する位置で前記円筒形のバッフルを後方内側に向い円錐状に、コーン前面が振動させる空気の面積より小さい前記共振用のポートの内径と同じ開口に変形して、前記後端開口部にポートの取り付け部を具備する、漏斗形のバッフルと、
前記漏斗形のバッフルの後端開口部に、前記コーン型スピーカーユニットのコーン後方の音を共振させるのに有効な断面及び長さの、一方の開口部を接続する、共振用のポートとからなる、エンクロージャー。
【請求項３】
請求項１に記載の、前記共振用のポートの断面積より大きく、整流の作用に有効な断面及び高さの、上下に等分した高さの中間部に流入口を、上端部に流出口を共に具備し、前記流入口から下方を底面が開閉可能な分圧室に、上方を整流部に区分し、前記整流部内部を、
流体が細分されて一定の長さを通過することにより、流体の分子の振動を抑えるのに有効な断面積と長さを持つ、多角形または円形の筒状の部材で充填した、
あるいは、一山の断面が、前記流体が細分されて一定の長さを通過することにより、流体の分子の振動を抑えるのに有効な断面積の大きさで、必要な長さと同じ幅の片ダンボール状の部材を、断面に沿って渦巻状に丸めて充填した、
構造の、分圧室を備えた整流装置。
【発明の詳細な説明】
【技術分野】
【０００１】  本発明は、コーン型スピーカーユニットのコーンの振動と、コーンを振動させる電気信号を相対的に同調させるエンクロージャーと、
分圧室を備えた整流装置に関する。
【背景技術】
【０００２】
【発明の開示】
【発明が解決しようとする課題】
【０００３】  マイクロホンは、振動板に音波を受けた時の圧力の状態の変化（強弱）を、電気信号に変換するもので、コーン型スピーカーは、電気信号をボイスコイルで磁力の変化（強弱）に変換して、マグネットの力でコーンを押し出し音波を発生させるもので、電気信号の強弱をマイクロホンの振動板の振動とすると、マイクロホンの振動板の振動とコーン型スピーカーのコーンの振動は、相対的に同調している。
音波は、空気の疎密波として表されるが、密の状態をマイクロホンの振動板が後方に圧力を受けた状態とすると、コーン型スピーカーではコーンを前方へ押し出した状態になり、疎の状態では、マイクロホンの振動板が圧力を受けた状態から、圧力を受ける前の位置に前方に戻る状態となり、コーン型スピーカーでは、コーンを押し出す前の位置に、後方へ戻る状態となる。
マイクロホンでは、振動板が密の状態から疎の状態なる時は、振動板の復元力により前方へ戻り、電気信号は強から弱になり、圧力を受ける前の位置でゼロになる。コーン型スピーカーも同様に、電気信号によりコーンを前に押し出す磁力が強から弱・ゼロになる事によりコーン（ダンパー）の復元力によりコーンが後方へ戻り密から疎の状態を作り出す。
この時、マイクロホンの振動板の復元にかかる負荷は、マイクロホンの形状や大きさを考慮すると、ほとんど無いと考えられるが、コーン型スピーカーでは、コーンで空気を振動させるために、コーンの前面・後面共、空気に接していて、密の状態にする時は磁力でコーンを押し出すので、空気による影響は磁力で補うことが出来るが、疎の状態にする時は、磁力が強から弱・ゼロに変化するだけで、コーンを引き戻す磁力は働かず、コーン（ダンパー）の持つ復元力だけで、疎の状態を作り出すことになる。
コーン型スピーカーユニットは、エンクロージャーに取り付けて鳴らすのが一般的であるが、コーン型スピーカーユニットのコーンが、電気信号で振動するときの強から弱・ゼロの変化により、コーンが後方（エンクロージャー内部）にコーン（ダンパー）の復元力によって戻ろうとするときに、コーン後部のエンクロージャー内の空気がバネとなって、コーンを前方（エンクロージャー外部）へ押し出そうとする力が働く。
これにより、エンクロージャー内部の空気が妨げとなり、マイクロホンの振動板が次の密の圧力を受ける位置まで戻るのにかかる時間と、コーンがマイクロホンの振動板と同じ相対的位置まで戻るのにかかる時間に、差が生じる。
この時間の差が、次の密の圧力を受けるまでに戻った、マイクロホンの振動板の位置と、次の強の電気信号を受けるまでに、コーン型スピーカーユニットのコーンが戻った位置に、相対的なずれとなって現れ、マイクロホンの振動板の振動と、コーン型スピーカーユニットのコーンの振動が、相対的に同調しない。
結果として、マイクロホンの振動板が受けて電気信号に変換した音と、スピーカーが電気信号をコーンの振動に変換して出した音は、違うことになる。
マイクロホンの振動板の振動と、相対的に同調した、コーン型スピーカーユニットのコーンの振動によるコーン後方の音を、共振させて低音部の位相を反転し、コーン前面の音と合わせて低音拡大する方式のエンクロージャーの場合、コーンの振動で発生する伝達の進行方向に整った空気の疎密波が、共振することによりあらゆる方向に影響を受け、そのままコーン前面の音と合わせて低音拡大した場合、耳障りな音となる。
この共振の影響を受けた疎密波を、減衰させずに、進行方向の疎密波に整える必要がある。
【課題を解決するための手段】
【０００４】  コーン型スピーカーユニットのコーンを振動させる電気信号とコーンの振動を相対的に同調させるために、コーン型スピーカーユニットのコーンの振動に影響を及ぼす空気の容積を、音の振動の伝達及び共振に必要最小限の容積にして、コーン型スピーカーユニットのコーン後方の位相が逆の音を取り込み、共振させて位相を反転して、
共振によりあらゆる方向に影響を受けた疎密波を、進行方向の疎密波に整えるため、空気の振動を流体として、振動する流体を、細分された一定の区間を抵抗無く通過させることにより、流体の分子の運動を制限して、安定させて、コーン前方の音と合わせて低音を拡大する方式とする。
これにより、前端開口部にコーン型スピーカーユニットの取り付け部を具備し、前記コーン型スピーカーユニットのバッフル取り付け穴径と同じ内径の、円筒形のバッフルの後端開口部を、前記取り付け部に取り付けた、前記コーン型スピーカーユニットのマグネット部後方の、空気の振動が支障なく伝達する位置で、前記円筒形バッフルを後方内側に向い円錐状に、コーン前面が振動させる空気の面積より小さい共振用のポートの内径と同じ開口に変形して、前記後端開口部にポートの取り付け部を具備する、漏斗形のバッフル（図１ａ）と、
前記漏斗形のバッフルの後端開口部に、前記コーン型スピーカーユニットのコーン後方の音を共振させるのに有効な断面及び長さの、同一方向に開口部を向けた一方の開口部を接続する、共振用のポート（図１ｂ）とからなる、エンクロージャーと、
前記共振用のポートの断面積より大きく、整流の作用に有効な断面及び高さの、上下に等分した高さの中間部に流入口を、上端部に流出口を共に具備し、前記流入口に上方に前記エンクロージャーの前記共振用のポート（図１ｂ）の他方の開口部を、前記上端部流出口に、前記漏斗形のバッフルの、下方で前方へ開放するポート（図１ｅ）の開口部を共に取り付けた、
前記流入口から下方を、底面が開閉可能な分圧室（図１ｃ）に、上方を整流部（図１ｄ）に区分し、前記整流部内部（図１ｆ）を、
流体が細分されて一定の長さを通過することにより、流体の分子の振動を抑えるのに有効な断面積と長さを持つ、多角形または円形の筒状の部材で充填した（図２ｇ）、
あるいは、一山の断面が、前記流体が細分されて一定の長さを通過することにより、流体の分子の振動を抑えるのに有効な断面積の大きさで、必要な長さと同じ幅の片ダンボール状の部材を、断面に沿って渦巻状に丸めて充填した（図２ｈ）、
構造の、分圧室を備えた整流装置とからなる、同調形スピーカーとなる。
【発明の効果】
【０００５】  コーン型スピーカーユニットのコーンの振動とマイクロホンの振動板の振動が相対的に同調することで、コーン後面の音と合わせてコーン前面の音も向上し、分圧室を備えた整流装置により低音拡大の効果が増し、低音部の音が明瞭に聞こえる。
分圧室を備える整流装置の部分は、流体により材質を変える事でそのまま流体の整流装置として使用が可能で、分圧室が整流部の下にあるので、圧力の急激な変化や、異物の混入に対応することが出来る。
底面が開閉可能な為、装置を配管部に取り付けたままで、点検・修理が、出来る。
分圧室を備える整流装置を噴水の噴出口手前に取り付けることにより、拡散しない噴水が出来る。
【発明を実施するための最良の形態】
【０００６】  スピーカーを製作する場合、コーン型スピーカーユニットの大きさや性能により、漏斗形のバッフルやポート（ダクト）の断面積、エンクロージャーの容積が変化するので、試作して音を確認するのに手間と費用を要することになるが、本発明は必要な部品が簡単に手に入る塩化ビニール製の配管材で製作することができるので試作品をそのまま製品に移行できる。
【実施例】
【０００７】  塩化ビニール製の配管材で８ｃｍコーン型フルレンジスピーカーユニットを取り付けるスピーカーを製作する場合の部品構成を例として記する。
漏斗形のバッフル          プレーンエンド直管      ＶＰφ７５ｍｍ
異径ソケット            ＤＶφ７５ｍｍ×φ５０ｍｍ
共振用、開放用ポート      プレーンエンド直管      ＶＰφ５０ｍｍ
９０°エルボ            ＤＶφ５０ｍｍ
分圧室を有する整流装置    プレーンエンド直管      ＶＰφ１００ｍｍ
異径チーズ              ＤＶφ１００ｍｍ×φ５０ｍｍ
異径ソケット            ＤＶφ１００ｍｍ×φ５０ｍｍ
エンドキャップ          ＶＵφ１００ｍｍ
【産業上の利用可能性】
【０００８】  ＪＩＳ規格の塩化ビニール製配管材を使用するので、スピーカーの性能により部品構成（口径）を換える事で対応でき、製作も簡単で、廃棄後の再生も確立されている。
【図面の簡単な説明】
【０００９】
【図１】スピーカーの構造及び分圧室を備えた整流装置の構造を示した断面図である。
【図２】分圧室を備えた整流装置の整流部の構造を示した構造図である。
【符号の説明】
【００１０】ａ：漏斗形のバッフル。
ｂ：共振用のポート。
ｃ：分圧室。
ｄ：整流部。
ｅ：開放用のポート。
ｆ：整流部内部。
ｇ：整流部内部を、多角形または円形の筒状の部材で充填する構造。
ｈ：整流部内部を、片ダンボール状の部材を渦巻状にして充填する構造。
【図１】
2005341517.tif 000003
【図２】
2005341517.tif 000004